(57)【要約】【課題】  移動ベースに配置される光学部品からの輻射の遮蔽を効率的に行うと共に小型薄型化を図る。【解決手段】  発光素子１９ａ及び該発光素子を駆動するドライバー２３ａからの輻射を遮蔽すると共に板状の金属材料によって一体に形成したシールドカバー４９を設け、該シールドカバーに、移動ベース７のうち対物レンズ８ａの光軸に直交する一方の面７ｆに取り付けられる第１の面部５０と、移動ベースのうち対物レンズの光軸に直交する他方の面７ｃに取り付けられる第２の面部５１と、移動ベースの周面に対向して位置される第３の面部５２の少なくとも３つの面部を設け、シールドカバーの第３の面部を、移動ベース又は該移動ベースの周縁部に配置された光学部品の形状に沿った形状に形成した。【選択図】図３
2006012261.tif 000002
【特許請求の範囲】
【請求項１】
ディスクテーブルに装着されるディスク状記録媒体の半径方向へ移動される移動ベースと該移動ベースに配置され対物レンズを駆動する対物レンズ駆動装置と移動ベースに配置されレーザー光を発光する発光素子及び該発光素子から発光されたレーザー光を受光する受光素子を含む複数の光学部品とを備えた光ピックアップであって、
上記発光素子及び該発光素子を駆動するドライバーからの輻射を遮蔽すると共に板状の金属材料によって一体に形成したシールドカバーを設け、
該シールドカバーに、移動ベースのうち対物レンズの光軸に直交する一方の面に取り付けられる第１の面部と、移動ベースのうち対物レンズの光軸に直交する他方の面に取り付けられる第２の面部と、移動ベースの周面に対向して位置される第３の面部の少なくとも３つの面部を設け、
シールドカバーの第３の面部を、移動ベース又は該移動ベースの周縁部に配置された光学部品の形状に沿った形状に形成した
ことを特徴とする光ピックアップ。
【請求項２】
移動ベースに設けられた所定の回路に駆動電流を供給するフレキシブルプリント配線板を備え、
該フレキシブルプリント配線板の屈曲された部分を上記シールドカバーによって押さえるようにした
ことを特徴とする請求項１に記載の光ピックアップ。
【請求項３】
ディスク状記録媒体が装着されるディスクテーブルと該ディスクテーブルに装着されるディスク状記録媒体に対して対物レンズを介してレーザー光を照射する光ピックアップとを備え、該光ピックアップはディスク状記録媒体の半径方向へ移動される移動ベースと該移動ベースに配置され対物レンズを駆動する対物レンズ駆動装置と移動ベースに配置されレーザー光を発光する発光素子及び該発光素子から発光されたレーザー光を受光する受光素子を含む複数の光学部品とを有するディスクドライブ装置であって、
上記発光素子及び該発光素子を駆動するドライバーからの輻射を遮蔽すると共に板状の金属材料によって一体に形成したシールドカバーを設け、
該シールドカバーに、移動ベースのうち対物レンズの光軸に直交する一方の面に取り付けられる第１の面部と、移動ベースのうち対物レンズの光軸に直交する他方の面に取り付けられる第２の面部と、移動ベースの周面に対向して位置される第３の面部の少なくとも３つの面部を設け、
シールドカバーの第３の面部を、移動ベース又は該移動ベースの周縁部に配置された光学部品の形状に沿った形状に形成した
ことを特徴とするディスクドライブ装置。
【請求項４】
移動ベースに設けられた所定の回路に駆動電流を供給するフレキシブルプリント配線板を備え、
該フレキシブルプリント配線板の屈曲された部分を上記シールドカバーによって押さえるようにした
ことを特徴とする請求項３に記載のディスクドライブ装置。
【発明の詳細な説明】
【技術分野】
【０００１】
本発明は光ピックアップ及びディスクドライブ装置に関する。詳しくは、移動ベースに配置される光学部品等からの輻射の遮蔽を効率的に行うと共に小型薄型化を図る技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップはディスク状記録媒体の半径方向へ移動される移動ベースと該移動ベース上に配置された対物レンズ駆動装置と移動ベースに配置された所要の複数の光学部品とを備えている。
【０００４】
このような光ピックアップにあっては、不要輻射を防止するために、特に、不要輻射が生じ易い光学部品である発光素子、例えば、半導体レーザーやレーザーダイオードを覆うシールドカバーが設けられているものがある（例えば、特許文献１参照）。
【０００５】
特許文献１に記載された光ピックアップにあっては、板状の金属材料を折り曲げることによって、２方向（側方及び下方）に開口された略直方体状のシールドカバーを形成し、該シールドカバーを発光素子を覆った状態で移動ベースに取り付けるようにしている。
【０００６】
【特許文献１】特開２００２―１９７７０２号公報
【発明の開示】
【発明が解決しようとする課題】
【０００７】
ところが、上記した従来の光ピックアップにあっては、シールドカバーの形状が単純な略直方体状に形成されているため、発光素子を覆った状態においてシールドカバーの内部においてシールドカバーと発光素子との間に大きな隙間が存在している。従って、この大きな隙間によって光ピックアップの外形が大きくなり、光ピックアップの小型薄型化を阻害する要因となっている。
【０００８】
また、従来の光ピックアップにあっては、シールドカバーによって不要輻射の発生を防止する対象が発光素子に限られているため、不要輻射の防止が不十分であるという問題もある。
【０００９】
そこで、本発明光ピックアップ及びディスクドライブ装置は、上記した問題点を克服し、移動ベースに配置される光学部品からの輻射の遮蔽を効率的に行うと共に小型薄型化を図る技術分野に関する。
【課題を解決するための手段】
【００１０】
本発明光ピックアップ及びディスクドライブ装置は、上記した課題を解決するために、発光素子及び該発光素子を駆動するドライバーからの輻射を遮蔽すると共に板状の金属材料によって一体に形成したシールドカバーを設け、該シールドカバーに、移動ベースのうち対物レンズの光軸に直交する一方の面に取り付けられる第１の面部と、移動ベースのうち対物レンズの光軸に直交する他方の面に取り付けられる第２の面部と、移動ベースの周面に対向して位置される第３の面部の少なくとも３つの面部を設け、シールドカバーの第３の面部を、移動ベース又は該移動ベースの周縁部に配置された光学部品の形状に沿った形状に形成したものである。
【００１１】
従って、本発明光ピックアップ及びディスクドライブ装置にあっては、光ピックアップの外形が最小化される。
【発明の効果】
【００１２】
本発明光ピックアップは、ディスクテーブルに装着されるディスク状記録媒体の半径方向へ移動される移動ベースと該移動ベースに配置され対物レンズを駆動する対物レンズ駆動装置と移動ベースに配置されレーザー光を発光する発光素子及び該発光素子から発光されたレーザー光を受光する受光素子を含む複数の光学部品とを備えた光ピックアップであって、上記発光素子及び該発光素子を駆動するドライバーからの輻射を遮蔽すると共に板状の金属材料によって一体に形成したシールドカバーを設け、該シールドカバーに、移動ベースのうち対物レンズの光軸に直交する一方の面に取り付けられる第１の面部と、移動ベースのうち対物レンズの光軸に直交する他方の面に取り付けられる第２の面部と、移動ベースの周面に対向して位置される第３の面部の少なくとも３つの面部を設け、シールドカバーの第３の面部を、移動ベース又は該移動ベースの周縁部に配置された光学部品の形状に沿った形状に形成したことを特徴とする。
【００１３】
従って、シールドカバーの内部に、第３の面部の内面と移動ベースの側面又は各光学部品との間の大きな隙間が存在せず、その分、光ピックアップの外形が小さくなり、光ピックアップの小型化を図ることができ、また、発光素子の他にドライバーをも１つのシールドカバーによって覆うようにしているため、不要輻射の防止効果の向上を図ることができる。
【００１４】
また、シールドカバーを絞り加工を用いずに形成しているため、深みの大きな形状に形成することができ、設計の自由度の向上を図ることができる。
【００１５】
請求項２に記載した発明にあっては、移動ベースに設けられた所定の回路に駆動電流を供給するフレキシブルプリント配線板を設け、該フレキシブルプリント配線板の屈曲された部分を上記シールドカバーによって押さえるようにしたので、フレキシブルプリント配線板の屈曲された部分を押さえる専用の部材を必要としないため、部品点数の削減を図ることができる。
【００１６】
本発明ディスクドライブ装置は、ディスク状記録媒体が装着されるディスクテーブルと該ディスクテーブルに装着されるディスク状記録媒体に対して対物レンズを介してレーザー光を照射する光ピックアップとを備え、該光ピックアップはディスク状記録媒体の半径方向へ移動される移動ベースと該移動ベースに配置され対物レンズを駆動する対物レンズ駆動装置と移動ベースに配置されレーザー光を発光する発光素子及び該発光素子から発光されたレーザー光を受光する受光素子を含む複数の光学部品とを有するディスクドライブ装置であって、上記発光素子及び該発光素子を駆動するドライバーからの輻射を遮蔽すると共に板状の金属材料によって一体に形成したシールドカバーを設け、該シールドカバーに、移動ベースのうち対物レンズの光軸に直交する一方の面に取り付けられる第１の面部と、移動ベースのうち対物レンズの光軸に直交する他方の面に取り付けられる第２の面部と、移動ベースの周面に対向して位置される第３の面部の少なくとも３つの面部を設け、シールドカバーの第３の面部を、移動ベース又は該移動ベースの周縁部に配置された光学部品の形状に沿った形状に形成したことを特徴とする。
【００１７】
従って、シールドカバーの内部に、第３の面部の内面と移動ベースの側面又は各光学部品との間の大きな隙間が存在せず、その分、光ピックアップの外形が小さくなり、ディスクドライブ装置の小型化を図ることができ、また、発光素子の他にドライバーをも１つのシールドカバーによって覆うようにしているため、不要輻射の防止効果の向上を図ることができる。
【００１８】
また、シールドカバーを絞り加工を用いずに形成しているため、深みの大きな形状に形成することができ、設計の自由度の向上を図ることができる。
【００１９】
請求項４に記載した発明にあっては、移動ベースに設けられた所定の回路に駆動電流を供給するフレキシブルプリント配線板を設け、該フレキシブルプリント配線板の屈曲された部分を上記シールドカバーによって押さえるようにしたので、フレキシブルプリント配線板の屈曲された部分を押さえる専用の部材を必要としないため、部品点数の削減を図ることができる。
【発明を実施するための最良の形態】
【００２０】
以下に、本発明光ピックアップ及びディスクドライブ装置の最良の形態を添付図面に従って説明する。
【００２１】
ディスクドライブ装置１は、外筐２内に所要の各部材及び各機構が配置されて成り（図１参照）、外筐２には図示しないディスク挿入口又は引出トレーが形成されている。
【００２２】
外筐２内には図示しないシャーシが配置され、該シャーシに取り付けられたスピンドルモーターのモーター軸にディスクテーブル３が固定されている。
【００２３】
シャーシには、平行なガイド軸４、４が取り付けられると共に図示しない送りモーターによって回転されるリードスクリュー５が支持されている。
【００２４】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２５】
対物レンズ駆動装置８は対物レンズ８ａを有し、該対物レンズ８ａをディスク状記録媒体１００に離接する方向であるフォーカシング方向及びディスク状記録媒体１００の略半径方向であるトラッキング方向に変位させ、対物レンズ８ａを介してディスク状記録媒体１００の記録面に照射されるレーザー光のスポットを記録面に集光させると共に記録トラックに追従させる機能を有する。
【００２６】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されるディスク状記録媒体１００の半径方向へ移動される。
【００２７】
ディスク状記録媒体１００としては、例えば、ＤＶＤ（Digital Versatile Disc）１００ａとＣＤ（Compact Disc）１００ｂが選択的に用いられる。
【００２８】
以上のようにして構成されたディスクドライブ装置１において、スピンドルモーターの回転に伴ってディスクテーブル３が回転されると、該ディスクテーブル３に装着されたディスク状記録媒体１００、即ち、ＤＶＤ１００ａ又はＣＤ１００ｂが回転され、同時に、光ピックアップ６がディスク状記録媒体１００の半径方向へ移動されてディスク状記録媒体１００に対する記録動作又は再生動作が行われる。
【００２９】
光ピックアップ６には、図２に示すように、ＤＶＤ１００ａ用の光学部品として、第１の発光素子９、グレーティングレンズ１０、ビームスプリッター１１、第１のコリメーターレンズ１２、アナモフィックプリズム１３、１／４波長板１４、立ち上げミラー１５、第１のモニター用受光素子１６、マルチレンズ１７及び第１の受光素子１８がそれぞれ移動ベース７に配置されて設けられている。
【００３０】
また、光ピックアップ６には、図２に示すように、ＣＤ１００ｂ用の光学部品として、ホログラムユニット１９、反射プリズム２０、第２のコリメーターレンズ２１、アナモフィックプリズム１３、１／４波長板１４、立ち上げミラー１５及び第２のモニター用受光素子２２がそれぞれ移動ベース７に配置されて設けられている。ホログラムユニット１９の内部には、第２の発光素子１９ａと第２の受光素子１９ｂが設けられている。
【００３１】
第１の発光素子９としては、例えば、約６６０ｎｍの波長を有するレーザー光を発光する半導体レーザーが用いられ、第２の発光素子１９ａとしては、例えば、約７８５ｎｍの波長を有するレーザー光を発光する半導体ダイオードが用いられている。
【００３２】
グレーティングレンズ１０は第１の発光素子９から発光されたレーザー光を回折して主光束と副光束とに分離する機能を有する。
【００３３】
ビームスプリッター１１は波長選択性のあるミラー面１１ａを有し、第１の発光素子９から発光された約６６０ｎｍの波長を有するレーザー光をミラー面１１ａで反射し、ディスク状記録媒体１００で反射された戻り光を透過する機能を有している。
【００３４】
第１のコリメーターレンズ１２及び第２のコリメーターレンズ２１は、第１の発光素子９又は第２の発光素子１９ａから発光されたレーザー光をそれぞれ平行光束とする機能を有する。
【００３５】
アナモフィックプリズム１３は複数の屈折面を有し、第１の発光素子９又は第２の発光素子１９ａから発光されたレーザー光をそれぞれビーム整形して、所定の方向へ導く機能を有する。
【００３６】
１／４波長板１４は第１の発光素子９又は第２の発光素子１９ａから発光されたレーザー光に関して直線偏光と円偏光との変換を行う機能を有する。
【００３７】
立ち上げミラー１５は第１の発光素子９又は第２の発光素子１９ａから発光されたレーザー光を立ち上げて対物レンズ８ａに入射させる機能を有する。
【００３８】
第１のモニター用受光素子１６及び第２のモニター用受光素子２２は、それぞれ第１の発光素子９又は第２の発光素子１９ａから発光されたレーザー光の光強度を検出する機能を有する。
【００３９】
マルチレンズ１７は第１の発光素子９から発光されディスク状記録媒体１００で反射された戻り光を第１の受光素子１８の受光面に集光させる機能を有する。
【００４０】
反射プリズム２０は複数の反射面を有し、第２の発光素子１９ａから発光されたレーザー光を所定の方向へ導く機能を有する。
【００４１】
以上のように構成された光ピックアップ６において、第１の発光素子９から約６６０ｎｍの波長を有するレーザー光が発光されると、レーザー光はグレーティングレンズ１０へ向かい該グレーティングレンズ１０によって主光束と副光束とに分離されてビームスプリッター１１に入射される。ビームスプリッター１１に入射されたレーザー光はミラー面１１ａで反射され第１のコリメーターレンズ１２によって平行光束とされ、その一部がアナモフィックプリズム１３で反射され第１のモニター用受光素子１６に受光される。アナモフィックプリズム１３で反射されなかった光は該アナモフィックプリズム１３によって光路が変換されビーム整形され、１／４波長板１４で偏光方向が変換されて立ち上げミラー１５によって立ち上げられ対物レンズ８ａを介してディスクテーブル３に装着されたＤＶＤ１００ａの記録面に集光される。ＤＶＤ１００ａの記録面に集光されたレーザー光は、該記録面で反射されて戻り光として再び対物レンズ８ａ、立ち上げミラー１５、１／４波長板１４、アナモフィックプリズム１３、第１のコリメーターレンズ１２を介してビームスプリッター１１に入射される。ビームスプリッター１１に入射された戻り光は、ビームスプリッター１１のミラー面１１ａを透過され、マルチレンズ１７を介して第１の受光素子１８に入射され、光電変換されて、例えば、ＤＶＤ１００ａに記録された情報信号の再生が行われる。
【００４２】
一方、ホログラムユニット１９の第２の発光素子１９ａから約７８５ｎｍを有するレーザー光が発光されると、レーザー光は反射プリズム２０によって分離され、分離された一方の光が第２のモニター用受光素子２２に受光される。分離された他方の光は、第２のコリメーターレンズ２１によって平行光束とされ、アナモフィックプリズム１３で反射されビーム整形され、１／４波長板１４で偏光方向が変換されて立ち上げミラー１５によって立ち上げられ対物レンズ８ａを介してディスクテーブル３に装着されたＣＤ１００ｂの記録面に集光される。ＣＤ１００ｂの記録面に集光されたレーザー光は、該記録面で反射されて戻り光として再び対物レンズ８ａ、立ち上げミラー１５、１／４波長板１４、アナモフィックプリズム１３、第２のコリメーターレンズ２１及び反射プリズム２０を介してホログラムユニット１９の第２の受光素子１９ｂに入射され、光電変換されて、例えば、ＣＤ１００ｂに記録された情報信号の再生が行われる。
【００４３】
上記のように第１の発光素子９又は第２の発光素子１９ａからレーザー光が発光され第１のモニター用受光素子１６又は第２のモニター用受光素子２２でレーザー光が受光されると、第１のモニター用受光素子１６又は第２のモニター用受光素子２２によって各レーザー光の光強度が検出され、この検出結果に基づいて第１の発光素子９又は第２の発光素子１９ａの出力がそれぞれ常時略一定となるように制御される。
【００４４】
移動ベース７の下面７ｃ側には、下方に開口された配置凹部７ｄが形成されている。
【００４５】
上記した各光学部品のうち、第１の発光素子９、第１のモニター用受光素子１６、第１の受光素子１８及びホログラムユニット１９、第２のモニター用受光素子２２を除いた各部品は、それぞれ移動ベース７に形成された配置凹部７ｄに配置され、第１の発光素子９、第１のモニター用受光素子１６、第１の受光素子１８及びホログラムユニット１９、第２のモニター用受光素子２２はそれぞれ移動ベース７の側面７ｅに取り付けられている。
【００４６】
移動ベース７の側面７ｅのホログラムユニット１９に隣接した位置には回路基板２３が配置され、該回路基板２３上に、第１の発光素子９及び第２の発光素子１９ａを駆動するドライバー２３ａが配置されている（図３及び図４参照）。
【００４７】
移動ベース７の配置凹部７ｄを形成する各側面には、互いに近付く方向へ突出された受け突部２４、２４、・・・が設けられている（図８乃至図１１参照）。受け突部２４、２４、・・・は上方へ行くに従って内方へ向かうように変位され、各光学部品を受けるための傾斜面２４ａ、２４ａ、・・・を有している。
【００４８】
配置凹部７ｄを形成する各側面の一部はそれぞれ基準面２５、２６として形成されている（図３、図８及び図９参照）。基準面２５はグレーティングレンズ１０がその光軸方向に押し付けられる面であり、基準面２６は１／４波長板１４がその光軸方向に押し付けられる面である。
【００４９】
移動ベース７に取り付けられた所定の各部にはフレキシブルプリント配線板２７の各一端部がそれぞれ接続されている（図３乃至図５参照）。フレキシブルプリント配線板２７はメイン基板部２７ａと該メイン基板部２７ａから枝分かれしたサブ基板部２７ｂ、２７ｂ、・・・とから成り、メイン基板部２７ａとサブ基板部２７ｂ、２７ｂ、・・・の連続部分が取付板金２８によって移動ベース７の上面７ｆに取り付けられている。
【００５０】
メイン基板部２７ａの先端部は図示しない電源回路に接続され、サブ基板部２７ｂ、２７ｂ、・・・の各先端部がそれぞれ第１の発光素子９、第１の受光素子１８、ホログラムユニット１９、ドライバー２３ａ等に接続されている。また、サブ基板部２７ｂ、２７ｂ、・・・は、各部に接続するためにそれぞれ所定の部分が屈曲されている。
【００５１】
移動ベース７の下面７ｃ又は側面７ｅの所定の位置には、支持孔７ｇ、７ｇ及び支持用切欠７ｈ、７ｈが形成され（図３参照）、支持孔７ｇ、７ｇ及び支持用切欠７ｈ、７ｈにはそれぞれ図示しない係合部が形成されている。
【００５２】
移動ベース７の上面７ｆには、ホログラムユニット１９を挟んだ互いに略反対側の位置に、それぞれ螺穴７ｉと取付ピン７ｊが形成されている（図４参照）。下面７ｃには、ホログラムユニット１９を挟んだ互いに略反対側の位置に、それぞれ取付ピン７ｋと係合凹部７ｌが形成されている（図３参照）。
【００５３】
移動ベース７の下面７ｃには押さえカバー２９が取り付けられる（図３及び図５参照）。押さえカバー２９は板状の金属材料、例えば、ＳＵＳ（ステンレス鋼）によって各部が一体に形成されて成る（図６参照）。押さえカバー２９は板状の金属材料を所定の形状に打ち抜き、その後、所定の部分を折り曲げることにより形成されている。
【００５４】
押さえカバー２９は、移動ベース７に配置される各光学部品を移動ベース７に対する位置調整可能な状態で押さえる押さえ手段としての機能の他、各光学部品に対する塵埃の付着の防止やレーザー光の発散の防止を図る手段としても機能する。
【００５５】
押さえカバー２９は主面部３０と該主面部３０から上方へ突出された各部とから成る。
【００５６】
主面部３０には、図６及び図７に示すように、順に隣接した第１の押さえ部３１、第２の押さえ部３２及び第３の押さえ部３３が設けられ、該第３の押さえ部３３を挟んで第２の押さえ部３２の反対側の平面部分が第４の押さえ部３４として設けられている。
【００５７】
第１の押さえ部３１は枠状に形成された第１の枠部３５とその内側の部分とから成り、該第１の枠部３５の内側に連続された一対の連結片部３６、３６と該連結片部３６、３６に連続された押さえバネ面部３７とを有している。
【００５８】
第２の押さえ部３２は第１の枠部３５に連続された第２の枠部４１と該第２の枠部４１から稍上方へ打ち出されて形成されたリブ面部３９と該リブ面部３９の一側縁から突出された押さえバネ片部４０とから成る。押さえバネ片部４０は、リブ面部３９から遠去かるに従って上方へ変位するように傾斜された基部４０ａと該基部４０ａに連続し先端に行くに従って下方へ変位するように傾斜された弾接部４０ｂとから成る。
【００５９】
第３の押さえ部３３は第３の枠部４１と４つの片部とから成る。即ち、４つの片部は、第２の枠部３８に連続し枠状に形成された第３の枠部４１の一方の側の内側開口縁からそれぞれ内方へ突出された一対の押さえ片部４２、４２と第３の枠部４１の他方の側の内側開口縁からそれぞれ内方へ突出された一対のバネ片部４３、４３とによって構成され、該バネ片部４３、４３は開口縁側に位置し開口縁から遠去かるに従って上方へ変位するように傾斜された基端部４３ａ、４３ａと該基端部４３ａ、４３ａに連続し先端に行くに従って下方へ変位するように傾斜された先端部４３ｂ、４３ｂとから成る。押さえ片部４２、４２は稍上方へ打ち出されることにより形成されている。
【００６０】
第３の枠部４１の所定の位置には、稍上方へ打ち出されることにより形成されたリブ４１ａ、４１ａ、４１ａが設けられている。
【００６１】
第２の押さえ部３２の上記リブ面部３９と第３の枠部４１に形成されたリブ４１ａ、４１ａ、４１ａによって、それぞれ第２の押さえ部３２と第３の押さえ部３３の強度の向上が図られ、また、これらのリブ面部３９とリブ４１ａ、４１ａ、４１ａによって第１の押さえ部３１の押さえバネ面部３７、第２の押さえ部３２の押さえバネ片部４０及び第３の押さえ部３３のバネ片部４３、４３が各光学部品をこれらのバネ力によって押さえたときに相互に干渉することがなく、第１の押さえ部３１、第２の押さえ部３２及び第３の押さえ部３３の変形や撓みの防止を図ることができる。
【００６２】
第１の枠部３５からは押さえ突部４４が突出されている。押さえ突部４４は第１の枠部３５に連続され側方へ突出された腕部４４ａと該腕部４４ａの先端から上方へ突出された規制部４４ｂとから成る。
【００６３】
第４の押さえ部３４の側縁からは上方へ向けて一対のバネアーム４５、４５が突出されている。
【００６４】
主面部３０の外周縁の所定の位置からは、上方へ向けて係合突部４６、４６、・・・が設けられている。係合突部４６、４６、・・・の先端部には係合爪４６ａ、４６ａ、・・・が形成されている。
【００６５】
以上のように構成された押さえカバー２９は、それぞれ係合突部４６、４６、・・・の係合爪４６ａ、４６ａ、・・・が、移動ベース７の支持孔７ｇ、７ｇ又は支持用切欠７ｈ、７ｈの各係合部に係合され、移動ベース７の下面７ｃに取り付けられる。
【００６６】
押さえカバー２９が移動ベース７に取り付けられた状態においては、第１の押さえ部３１によってマルチレンズ１７が押さえられ、第２の押さえ部３２によってグレーティングレンズ１０が押さえられ、第３の押さえ部３３によって第１のコリメーターレンズ１２が押さえられる。
【００６７】
マルチレンズ１７は第１の押さえ部３１の押さえバネ面部３７によって下方から弾性的に押さえられ、受け突部２４、２４の傾斜面２４ａ、２４ａに押し付けられる。この状態でマルチレンズ１７は光軸方向において移動ベース７に対して位置調整が行われ、位置調整後に接着剤等によって移動ベース７に固定される。マルチレンズ１７の位置調整が行われるときには、マルチレンズ１７が押さえバネ面部３７に対して摺動される。
【００６８】
ビームスプリッター１１は押さえカバー２９によって覆われている。
【００６９】
グレーティングレンズ１０は、図８及び図９に示すように、ホルダー部１０ａと該ホルダー部１０ａに保持されたレンズ部１０ｂとから成り、ホルダー部１０ａは略円環状に形成され周方向に延びる斜面１０ｃを有している。
【００７０】
グレーティングレンズ１０はホルダー部１０ａの斜面１０ｃが第２の押さえ部３２の押さえバネ片部４０の弾接部４０ａによって斜め上方側へ向けて弾性的に押さえられ、ホルダー１０ａが配置凹部７ｄ内の基準面２５に押し付けられると共にホルダー１０ａの斜面１０ｃが受け突部２４、２４の傾斜面２４ａ、２４ａに押し付けられる。この状態でグレーティングレンズ１０は光軸方向の軸回り方向において移動ベース７に対して位置調整が行われ、位置調整後に接着剤等によって移動ベース７に固定される。グレーティングレンズ１０の位置調整が行われるときには、グレーティングレンズ１０が押さえバネ片部４０に対して摺動される。
【００７１】
第１のコリメーターレンズ１２は、図１０及び図１１に示すように、ホルダー部４７と該ホルダー部４７の内側に保持されたレンズ部４８とから成り、ホルダー部４７は下方側の周面が下方を向く平面４７ａに形成され、上側半分の周面が円弧面４７ｂに形成されている。レンズ部４８は略円板状に形成されているため、これに合わせて平面４７ａのうち中央側の部分が稍下方へ突出された突面４７ｃとして形成され、その両側の面が突面４７ｃより上方に位置する被押さえ面４７ｄ、４７ｄとして形成されている。
【００７２】
第１のコリメーターレンズ１２はホルダー部４７の一方の被押さえ面４７ｄが第３の押さえ部３３の押さえ片部４２、４２によって押さえられ、他方の被押さえ面４７ｄが第３の押さえ部３３のバネ片部４３、４３によって上方側へ向けて弾性的に押さえられ、円弧面４７ｂが受け突部２４、２４の傾斜面２４ａ、２４ａに押し付けられる。従って、第１のコリメーターレンズ１２は光軸方向に離隔して位置された押さえ片部４２、４２と同じく光軸方向に離隔して位置されたバネ片部４３、４３によって押さえられる。
【００７３】
この状態で第１のコリメーターレンズ１２は光軸方向において移動ベース７に対して位置調整が行われ、位置調整後に接着剤等によって移動ベース７に固定される。第１のコリメーターレンズ１２の位置調整が行われるときには、第１のコリメーターレンズ１２がバネ片部４３、４３に対して摺動される。
【００７４】
上記のように、第１のコリメーターレンズ１２は、互いに反対側に位置された押さえ片部４２、４２とバネ片部４３、４３とによってそれぞれ突面４７ｃを挟んだ互いに反対側に位置する被押さえ面４７ｄ、４７ｄが押さえられるため、押さえられた状態における安定化を図ることができる。
【００７５】
また、第１のコリメーターレンズ１２は、押さえ片部４２、４２とバネ片部４３、４３とによってそれぞれ突面４７ｃより上方に位置する被押さえ面４７ｄ、４７ｄが押さえられるため、押さえ片部４２、４２及びバネ片部４３、４３の突面４７ｃより下方への突出を回避することが可能となり、その分光ピックアップ６の薄型化を図ることができる。
【００７６】
さらに、第１のコリメーターレンズ１２は光軸方向に離隔して位置された押さえ片部４２、４２及びバネ片部４３、４３によって押さえられるため、光軸方向への倒れを防止することができると共に倒れに基づく収差の発生を防止することができる。
【００７７】
アナモフィックプリズム１３、反射プリズム２０及び第２のコリメーターレンズ２１は押さえカバー２９によって覆われている。
【００７８】
押さえカバー２９が移動ベース７に取り付けられた状態においては、バネアーム４５、４５によって１／４波長板１４が配置凹部７ｄ内の基準面２６に弾性的に押し付けられる。この状態で１／４波長板１４は光軸方向の軸回り方向において移動ベース７に対して位置調整が行われ、位置調整後に接着剤等によって移動ベース７に固定される。１／４波長板１４の位置調整が行われるときには、１／４波長板１４がバネアーム４５、４５に対して摺動される。
【００７９】
押さえカバー２９が移動ベース７に取り付けられた状態においては、押さえ突部４４の規制部４４ｂによって第１の受光素子１８が、その光軸方向において押さえられ、第１の受光素子１８が移動ベース７の側面７ｅに押し付けられる。第１の受光素子１８は移動ベース７に対して、その光軸に直交する面内において位置調整が行われるが、上記のように、押さえカバー２９が移動ベース７に取り付けられた状態において、第１の受光素子１８は押さえ突部４４の規制部４４ｂによって移動ベース７の側面７ｅに押し付けられているため、第１の受光素子１８の位置調整を容易かつ確実に行うことができる。
【００８０】
以上に記載した通り、ディスクドライブ装置１にあっては、複数の光学部品を押さえた状態で各光学部品の移動ベース７に対する位置調整を可能とする押さえカバー２９を板状の金属材料によって一体に形成したので、各光学部品ごとの押さえカバーを必要とせず部品点数の削減を図ることができ、また、複数の押さえ部３１、３２、３３、３４を隣接して設けたので、その分、各光学部品が接近して配置された場合に対応することが可能であり、光ピックアップ６の小型薄型化を図ることができる。
【００８１】
また、部品点数の削減により移動ベース７に対する組付部品が低減されるため、光ピックアップ６の組立性の容易化を図ることができる。
【００８２】
移動ベース７には、ホログラムユニット１９及びドライバー２３からの輻射を遮蔽するシールドカバー４９が取り付けられる（図３乃至図５参照）。
【００８３】
シールドカバー４９は板状の金属材料、例えば、リン青銅等によって各部が一体に形成されて成る（図１２乃至図１４参照）。シールドカバー４９は板状の金属材料を所定の形状に打ち抜き、その後、所定の部分を折り曲げることにより、移動ベース７の側面７ｅが延びる方向に沿うように全体として横長の形状に形成されている。
【００８４】
シールドカバー４９は、移動ベース７の上面７ｆに取り付けられる第１の面部５０と、移動ベース７の下面７ｃに取り付けられる第２の面部５１と、移動ベース７の側面７ｅに対向して位置される第３の面部５２とを有している。
【００８５】
第１の面部５０は第３の面部５２に遠い側から順に位置された上段部５３と該上段部５３より僅かに低い位置にある中段部５４と該中段部５４より僅かに低い位置にある下段部５５とを有し、上段部５３と中段部５４は高さの低い上側段差部５６によって区切られ、中段部５４と下段部５５は高さの低い下側段差部５７によって区切られている。
【００８６】
上段部５３には、その長手方向へ突出された第１の突出部５３ａと該第１の突出部５３ａに対して略直交する方向へ突出された第２の突出部５３ｂとが設けられ、第１の突出部５３ａにネジ挿通孔５３ｃが形成され、第２の突出部５３ｂに被取付孔５３ｄが形成されている。上端部５３には第２の突出部５３ｂの真横の位置に略三角形状に形成された押さえ突部５３ｅが設けられ、該押さえ突部５３ｅは第２の突出部５３ｂと略同じ方向へ突出されている。
【００８７】
第２の面部５１は全体が平面状に形成され、その長手方向へ突出された第３の突出部５１ａと該第３の突出部５１ａに対して略直交する方向へ突出された第４の突出部５１ｂとを有し、第３の突出部５１ａに被取付孔５１ｃが形成されている。第４の突出部５１ａの先端部は第１の面部５０側に折り曲げられ係合片５１ｄとして形成されている。
【００８８】
第３の面部５２は左右方向において順に位置された第１の遮蔽片５８、第２の遮蔽片５９、第３の遮蔽片６０、連続面６１及び第４の遮蔽片６２によって構成され、これらの第１の遮蔽片５８、第２の遮蔽片５９、第３の遮蔽片６０、連続面６１及び第４の遮蔽片６２が互いに接近して位置されている。
【００８９】
第１の遮蔽片５８は第２の面部５１の周縁から上方へ向けて突出されることにより形成され、矩形状に形成されている。第２の遮蔽片５９は第１の面部５０の周縁から下方へ向けて突出されることにより形成され、矩形状に形成されている。第３の遮蔽片６０は第２の面部５１の周縁から上方へ向けて突出されることにより形成されている。
【００９０】
連続面６１は、その上縁及び下縁がそれぞれ第１の面部５０と第２の面部５１に連続されている。連続面６１の上下方向における中央部は、外方へ突出された飛出部６１ａとして形成されている。
【００９１】
第４の遮蔽片６２は第２の面部５１の周縁から上方へ向けて突出されることにより形成されている。
【００９２】
第２の面部５１は、互いに接近して位置された第１の遮蔽片５８、第２の遮蔽片５９、第３の遮蔽片６０、連続面６１及び第４の遮蔽片６２の各面が互いに異なる角度を向くように位置されており、全体としてホログラムユニット１９と回路基板２３の外形又はこれらが配置された部分に対応する移動ベース７の側面７ｅの外形に沿う形状に形成されている。
【００９３】
シールドカバー４９は、それぞれ移動ベース７の取付ピン７ｊ、７ｋがそれぞれ第２の突出部５３ａの被取付孔５３ｄと第３の突出部５１ａの被取付孔５１ｃとに挿入されて係合され、係合片５１ｄが移動ベースの係合凹部７ｌに係合され、移動ベース７の螺穴７ｉに第１の突出部５３ａのネジ挿通孔５３ｃを介して取付ネジ６３が螺合されることにより移動ベース７に取り付けられる。
【００９４】
尚、シールドカバー４９は、上記のように取付ネジ６３によって移動ベース７に取り付けられるが、シールドカバー４９の移動ベース７への取付は取付ネジ６３を用いる方法に限られることはなく、例えば、全箇所を取付ピンと被取付孔との係合又は係合突部と係合凹部との係合による方法を用いてもよい。
【００９５】
上記のようにシールドカバー４９が移動ベース７に取り付けられた状態においては、第１の遮蔽片５８と第２の遮蔽片５９がホログラムユニット１９を覆うようにして位置され、第３の遮蔽片６０、連続面６１及び第４の遮蔽片６２が回路基板２３及びドライバー２３ａを覆うようにして位置され、ホログラムユニット１９と回路基板２３とドライバー２３ａの全体がシールドカバー４９によって覆われる。このとき、連続面６１の飛出部６１ａ内には回路基板２３の先端部が挿入された状態で位置される。
【００９６】
このように、光ピックアップ６にあっては、シールドカバー４９によってホログラムユニット１９及びドライバー２３ａが覆われるため、ホログラムユニット１９又はドライバー２３ａからの輻射がシールドカバー４９によって遮蔽される。
【００９７】
また、シールドカバー４９が移動ベース７に取り付けられた状態においては、第１の面部５０の押さえ突部５３ｅによってフレキシブルプリント配線板２７のサブ基板部２７ｂの屈曲された部分が上方から押さえられている。
【００９８】
従って、フレキシブルプリント配線板２７の屈曲された部分を押さえる専用の部材を必要としないため、部品点数の削減を図ることができる。
【００９９】
尚、移動ベース７の側面７ｅに配置された第１の発光素子９は、金属材料、例えば、板状のリン青銅が折り曲げられて形成されたカバー体６４によって覆われている。従って、第１の発光素子９からの輻射がカバー体６４によって遮蔽される。
【０１００】
以上に記載した通り、ディスクドライブ装置１にあっては、ホログラムユニット１９及びドライバー２３ａからの輻射を遮蔽するシールドカバー４９を板状の金属材料によって一体に形成し、該シールドカバー４９の第３の面部５２を移動ベース７の側面７ｅ又は移動ベース７の周縁部に配置された光学部品の形状に沿った形状に形成している。
【０１０１】
従って、シールドカバー４９の内部に、第３の面部５２の内面と移動ベース７の側面７ｅ又は各光学部品との間の大きな隙間が存在せず、その分、光ピックアップ６の外形が小さくなり、光ピックアップ６の小型化を図ることができ、また、ホログラムユニット１９の他に回路基板２３やドライバー２３ａをも１つのシールドカバー４９によって覆うようにしているため、不要輻射の防止効果の向上を図ることができる。
【０１０２】
また、シールドカバー４９を絞り加工を用いずに形成しているため、深みの大きな形状に形成することができ、設計の自由度の向上を図ることができる。
【０１０３】
尚、上記には、ＤＶＤ１００ａとＣＤ１００ｂの２種類のディスク状記録媒体１００を使用するディスクドライブ装置１を例として示したが、ディスク状記録媒体１００の種類はＤＶＤ１００ａとＣＤ１００ｂに限られることはなく、Ｂｌｕ―ｒａｙディスク等の他のディスクであってもよい。
【０１０４】
また、本発明は、上記のような使用波長の異なる２種類のディスク状記録媒体１００が使用されるディスクドライブ装置及びこれに設けられた光ピックアップに適用できる他、１つのディスク状記録媒体を用いるディスクドライブ装置及び光ピックアップや、使用波長の異なる３種類以上のディスク状記録媒体１００が使用されるディスクドライブ装置及び光ピックアップに適用することもできる。
【０１０５】
上記した最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【０１０６】
【図１】図２乃至図１４と共に本発明を実施するための最良の形態を示すものであり、本図はディスクドライブ装置の概略斜視図である。
【図２】光ピックアップに設けられた各光学部品とその光路を示す概念図である。
【図３】押さえカバー及びシールドカバーを分離して示す光ピックアップの拡大斜視図である。
【図４】シールドカバーを分離して示す光ピックアップの拡大斜視図である。
【図５】光ピックアップの拡大斜視図である。
【図６】押さえカバーの拡大斜視図である。
【図７】押さえカバーの一部を拡大して示す平面図である。
【図８】グレーティングレンズの保持状態を示す拡大分解斜視図である。
【図９】グレーティングレンズの保持状態を示す拡大斜視図である。
【図１０】コリメーターレンズの保持状態を示す拡大分解斜視図である。
【図１１】コリメーターレンズの保持状態を示す拡大斜視図である。
【図１２】シールドカバーの拡大斜視図である。
【図１３】図１２とは異なる角度から見た状態で示すシールドカバーの拡大斜視図である。
【図１４】シールドカバーの拡大展開図である。
【符号の説明】
【０１０７】
１００…ディスク状記録媒体、１…ディスクドライブ装置、３…ディスクテーブル、６…光ピックアップ、７…移動ベース、８…対物レンズ駆動装置、８ａ…対物レンズ、９…第１の発光素子、１８…第１の受光素子、１９ａ…第２の発光素子、１９ｂ…第２の受光素子、２３ａ…ドライバー、２７…フレキシブルプリント配線板、４９…シールドカバー、５０…第１の面部、５１…第２の面部、５２…第３の面部
【図１】
2006012261.tif 000003
【図２】
2006012261.tif 000004
【図３】
2006012261.tif 000005
【図４】
2006012261.tif 000006
【図５】
2006012261.tif 000007
【図６】
2006012261.tif 000008
【図７】
2006012261.tif 000009
【図８】
2006012261.tif 000010
【図９】
2006012261.tif 000011
【図１０】
2006012261.tif 000012
【図１１】
2006012261.tif 000013
【図１２】
2006012261.tif 000014
【図１３】
2006012261.tif 000015
【図１４】
2006012261.tif 000016